(57)【要約】【課題】ハリス同士が絡まることを防止してハリスにくせがつかないようにする。【解決手段】釣針３および釣針３に結ばれたハリス４からなる仕掛２を保持する仕掛保持具７において、所定の長さと幅と有する表面１２と、厚みとを有し、かつ内部が中空とされた扁平状本体８を備え、前記本体８の表面１２には、釣針をその軸部が長手方向中央部を向くように長手方向中央部を挟んだ一端側で係止する第１係止手段１９と、他端側で係止する第２係止手段２０とが設けられ、前記表面１２には、前記各係止手段に係止されたハリスを中空とされた本体８内に納めるための挿通孔が各係止手段に対応して設けられ、前記本体８内には、前記各挿通孔から挿通されたハリスの接触を防止する仕切り２７が設けられている。【選択図】　　　図１
2004065131.tif 000002
【特許請求の範囲】
【請求項１】
釣針および釣針に結ばれたハリスからなる仕掛を保持する仕掛保持具において、
所定の長さと幅と有する表面と、厚みとを有し、かつ内部が中空とされた扁平状本体を備え、
前記本体の表面には、釣針をその軸部が長手方向中央部を向くように、長手方向中央部を挟んだ一端側で係止する第１係止手段と、他端側で係止する第２係止手段とが設けられ、
前記表面には、前記各係止手段に係止されたハリスを中空とされた本体内に納めるためのハリス挿通孔が各係止手段に対応して設けられ、前記本体内には、前記各ハリス挿通孔から挿通されたハリスの接触を防止する仕切りが設けられていることを特徴とする仕掛保持具。
【請求項２】
前記表面には、仕掛の種別を表示する表示部が設けられていることを特徴とする請求項１に記載の仕掛保持具。
【請求項３】
請求項１または２に記載の仕掛保持具を着脱自在に保持する長方形状の基板を有し、この基板には、保持された仕掛保持具を覆う蓋が、長手方向両端に設けられたヒンジ部を介して設けられていることを特徴とする鮎用仕掛収容ケース。
【発明の詳細な説明】
【０００１】
【発明の属する技術分野】
本発明は、鮎用の釣り仕掛けを収容するための仕掛保持具および仕掛収容ケースに関する。
【０００２】
【従来の技術】
従来この種の収容ケースとしては、例えば、実開平６−６０３７９号公報に記載されたものがある。
前記公報には、「収納ケース内に設けた基板によりその上下側に釣針収納部と釣糸収納部を各々形成した釣用仕掛収容ケースにおいて、前記基板の長手方向の略中央部に釣糸収納部に通じる孔を設けると共に該孔の側部における基板の略全長に亘り釣針保持部を設けた」収容ケースが開示されている。
【０００３】
【発明が解決しようとする課題】
しかし、従来の仕掛収容ケースでは、例えば、釣針同士が、釣針収納部でその軸部が対向するように収納された場合に、釣糸収納部に収納された釣糸（以下、ハリスという）同士が交差して互いに絡まってしまい、釣糸にくせがついてしまうという問題点があった。
そこで、本発明は、ハリス同士が絡まることを防止してハリスにくせがつかないようにした鮎用仕掛保持具およびこの仕掛保持具を収納する鮎用仕掛収容ケースを提供することを目的とする。
【０００４】
【課題を解決するための手段】
本発明は、上記課題を解決するために以下の技術的手段を講じた。
すなわち、釣針および釣針に結ばれたハリスからなる仕掛を保持する仕掛保持具において、所定の長さと幅と有する表面と、厚みとを有し、かつ内部が中空とされた扁平状本体を備え、前記本体の表面には、釣針をその軸部が長手方向中央部を向くように、長手方向中央部を挟んだ一端側で係止する第１係止手段と、他端側で係止する第２係止手段とが設けられ、前記表面には、前記各係止手段に係止されたハリスを中空とされた本体内に納めるためのハリス挿通孔が各係止手段に対応して設けられ、前記本体内には、前記各ハリス挿通孔から挿通されたハリスの接触を防止する仕切りが本体内に設けられていることである。
【０００５】
これによれば、第１係止手段に対応して設けられたハリス挿通孔から挿通されたハリスと、第２係止手段に対応して設けられたハリス挿通孔から挿通されたハリスとは、本体内に設けられた仕切りによって、接触しなくなっているので、これらハリス同士が絡まることがなく、したがって、ハリスにくせがつくことを防止できるようになる。
本発明の他の技術的手段は、前記本体表面には、仕掛の種別を表示する表示部が設けられていることである。
【０００６】
これによれば、表示部毎に仕掛を整理して整然と収納することができ、そして、仕掛の種別を瞬時に確認できるようになる。
本発明の他の技術的手段は、本発明にかかる仕掛収容ケースは、前記仕掛保持具を着脱自在に保持する長方形状の基板を有し、この基板に保持された仕掛保持具を覆う蓋がの長手方向両端に各々設けられたヒンジ部を介して設けられていることである。
これによれば、仕掛を保持した仕掛保持具を確実に、整然と整理することができる。
【０００７】
【発明の実施の形態】
以下、図面を参照して本発明の実施の形態を説明する。
本発明は、図１０に例示されるような鮎の友釣り等に使用される仕掛２で、特に釣針３に釣糸（以下、ハリス４という）が結ばれたものを保持・収容するためのものである。鮎用釣仕掛２には、例えば、３本錨、４本錨の釣針３の軸部３ｂにハリス４が結ばれたものがよく使用される。
図１に示す仕掛収容ケース１は、後述する仕掛保持具７を１個又は２個以上納めるためのものであり、この実施の形態では４個の仕掛保持具７を収容できるようになっている。この仕掛収容ケース１は、仕掛保持具７を着脱自在に収納する長方形状の基板５を有し、この基板５の厚み方向両面を所定空間を介して覆う上下蓋体６とを有している。この所定空間とは、仕掛保持具７が基板５に収納されたときに、仕掛保持具７が保持している仕掛２に触れずに蓋体５が囲繞できる空間をいう。仕掛収容ケース１は、透明の合成樹脂によって形成されている。
【０００８】
この基板５の上下の両板面には、仕掛保持具７をスライド自在に収納するためのガイドレール９が設けられている。このガイドレール９は、基板５の長手方向に沿っていて、かつ基板５の厚み方向に突出された凸条形状とされている。また、ガイドレール９は、基板５の幅方向（基板５の板面に沿って長手方向と直交する方向をいう）両外側部に形成された側部ガイドレール９ａと、幅方向略中央部に形成された中央ガイドレール９ｂからなる。
図２において、ガイドレール９の突端部には仕掛保持具７の厚み方向外方への抜けはずれを防止する抜け止め突起１０が設けられている。この抜け止め突起１０は、各ガイドレール９の長手方向略全幅にわたって形成されていて、かつ幅方向に突出された凸条形状となっている。
【０００９】
側部ガイドレール９ａの抜け止め突起１０は、幅方向内方に向かって突出されており、中央ガイドレール９ｂの抜け止め突起１０は、幅方向外方に向かって、各側部ガイドレール９ａの抜け止め突起１０と対向するように突出されている。
このように抜け止め突起１０がガイドレール９に形成されたことにより、側部ガイドレール９ａの内側面と、この内側面と対向する中央ガイドレール９ｂの幅方向側面とには、仕掛保持具７をスライドさせるためのスライド溝１１が断面視コの字状に形成されることになる。
【００１０】
以上のようにガイドレール９を基板５に設けたことによって、仕掛保持具７をこのガイドレール９に沿ってスライドさせるだけで、簡単に出し入れすることができるようになり、かつ仕掛保持具７を整然と整理でき、仕掛収容ケース１内が煩雑にならないようにできる。
仕掛収容ケース１の各蓋体６は、基板５の長手方向両端に設けられた第１ヒンジ部１４を介して回動自在とされている。第１ヒンジ部１４には、蓋体６を閉じた状態で固定するためのロック部材１６が連結されている。このロック部材１６は、基板５の軸方向両端で第１ヒンジ部１４に隣接して設けられた第２ヒンジ部１５を介して回動自在とされている。
【００１１】
蓋体６の上下方向に向いた外面の長手方向一端側にはロック部材１６の先端に設けられた円筒状のロック部１７が掛止される掛止突起１８が上下方向外方に突隆形成されている。
仕掛収容ケース１に納められる仕掛保持具７は、上記の鮎用釣仕掛２を保持するためのもので、合成樹脂材によって、扁平筒形状とされた本体８を備えている。この本体８は、図５に示すように所定間隔ｈを有して平行に配置された所定長さＸの長方形状の上板８ａ、下板８ｂと、これら上下板８ａ、８ｂの側縁同士を連結する対の側板８ｃとを有している。本体８の表面１２には、釣針３の針先３ａが係止される係止手段が設けられている。この係止手段は、釣針３をその軸部３ｂが長手方向中央部を向くように、長手方向中央部を挟んだ一端側で係止する第１係止手段１９と、他端側で係止する第２係止手段２０とからなる。
【００１２】
より具体的には、各係止手段１９、２０は、上板８ａを内外貫通して形成された針先挿通孔２１からなり、釣針３の軸部３ｂが本体８上板８ａの長手方向中央部側に向くようにして針先３ａを挿通するようになっている。
各針先挿通孔２１（各係止手段１９、２０）は、スリット状に形成されており、長手方向外方に向かって広がる正面視ハの字状の左右対とされて、長手方向に間隔をおいて複数形成されている。
針先挿通孔２１の開口は上板８ａの長手方向中央から一端側に向いて上板８ａの肉厚方向に広がった形状とされている。換言すれば針先挿通孔２１の上板８ａの長手方向中央側の開口縁部（以下、中央側開口縁部２１ａという）は、上板８ａの肉厚方向外方に膨出されており、また、この中央側開口縁部と対向する上板８ａの長手方向一端側の開口縁部（以下、一端側開口縁部２１ｂという）は、上板８ａの肉厚方向内方に凹むように形成されて、針先挿通孔２１の開口は上板８ａ肉厚方向に広がって形成されている。このように、針先挿通孔２１の開口を肉厚方向に広がった形状とすることにより、針先３ａを挿通しやすくなる。
【００１３】
本体８の上板８ａには、ハリス４および釣針３の軸部３ｂが挿通されるハリス挿通孔２３が、この上板８ａを内外貫通して設けられている。このハリス挿通孔２３は、上板８ａの長手方向に間隔をおいて一直線状に複数形成されている。
図６において、ハリス挿通孔２３は、軸部３ｂが上板８ａの長手方向中央を向いて挿通されるように、仕掛保持具７の本体８の表面１２に対する垂直方向から傾斜して形成されている。
より具体的には、このハリス挿通孔２３は、上板８ａの長手方向中央部側の開口縁部（以下、中央部側開口縁部２３ａという）を肉厚方向外方に膨出させた形状にし、この中央部側開口縁部２３ａと長手方向で対向する上板長手方向一端側の開口縁部（以下一端側開口縁部２３ｂという）を肉厚方向下方に凹んだ形状としている。
【００１４】
このようにすることで、第１係止手段１９側のハリス挿通孔２３から挿通されるハリス４と第２係止手段２０側のハリス挿通孔２３から挿通されるハリス４は互いに上板８ａの長手方向中央に向かって対向して各ハリス挿通孔２３に挿通されることとなる。
仕掛２は、以下のようにされることで、仕掛保持具７に保持される。
すなわち、まず、軸部３ｂに結ばれているハリス４をハリス挿通孔２３に挿通していき、軸部３ｂの先端部分までハリス挿通孔２３に挿通する。軸部３ｂの先端部分がハリス挿通孔２３に挿通されるのと略同時に針先３ａを針先挿通孔２１に挿通する。以上により、仕掛２は仕掛保持具７に確実に保持されるのである。
【００１５】
軸部３ｂの先端部分までをハリス挿通孔２３に挿通した場合には、ハリス４は全て、中空状の仕掛保持具７の内部空間に収納されることとなる。以下、この内部空間をハリス収納部２５という。また、仕掛２が仕掛保持具７に保持されたときには軸部３ｂの先端部分が針先挿通孔２１の各開口周縁部２３ａ、２３ｂによって保持されることとなり釣針３は針先３ａと軸部３ｂとが保持されることになり、安定した状態で仕掛保持具７に納められることとなる。
上記のように、針先挿通孔２１は左右一対とされているので、例えば３本錨の釣針３を用いた仕掛２が仕掛保持具７に保持された場合には、釣針３の３つの針先３ａのうち、２つは針先挿通孔２１に挿通されることとなる。したがって、針先挿通孔２１に挿通されない針先３ａは１つとなるので、仕掛２を仕掛保持具７から取り出すときには、この１つの針先３ａを指でつまめばよく、他の針先３ａに指が引っ掛かるという煩わしさもなくなり、この点で有利である。
【００１６】
仕掛保持具７の表面１２には、釣針３、ハリス４等の形状、大きさ等の種別を表示する表示部２８が設けられている。この表示部２８は、所定の大きさのシールに釣針３等の種別を記載したものを仕掛保持具７の長手方向略中央部の正面に貼付するか、または、シールを貼付した後に、このシールに釣針３等の種別を記載することによって形成されるのがよい。
このように、表示部２８に記載された釣針３等の種別によって、収納された仕掛２の釣針３の種類等を瞬時に確認でき、釣り場の環境に応じた仕掛２を容易にかつ素早く選択できるようになる。
【００１７】
仕掛保持具７の上板８ａの長手方向両端側の表面部には、仕掛保持具７をスライドさせるときに指をかけるための突起２９が形成されている。
この突起２９によって、仕掛保持具７を仕掛収容ケース１に出し入れするときには、この突起２９に指を掛けてスライドさせるだけでよいので、仕掛保持具７の出し入れが簡単にできるようになる。
本体８内の幅方向中途部には、この本体８内で長手方向に対向して挿通されたハリス４が絡まないように区別する仕切り２７が設けられている。
【００１８】
仕切り２７は、仕掛保持具７の長手方向略中央部に長手方向に対して斜めに交差するように形成された案内部２７ａと、この案内部２７ａと連続状とされていて、長手方向に沿って直線状とされた直線部２７ｂからなる。
直線部２７ｂは、仕掛保持具７の軸方向内側面に平行に形成されて、側板８ｃの内側面寄りに形成されており、この直線部２７ｂと前記軸方向内側面と幅方向での間隔が極力狭くなっている。図５に示すように、この間隔Ａは、約２ｍｍとされている。
【００１９】
釣針３の軸部３ｂ同士が互いに対向してハリス挿通孔２３に挿通されて収納された場合であっても、各軸部３ｂに結ばれたハリス４同士は仕切り２７によってハリス挿通孔２３が区切られることで交差せず、絡まることがないので、ハリス４同士が絡まることによるくせがつかなくなる。
この仕切り２７によってハリス挿通孔２３を介してハリス４が収納される仕掛保持具７内の収納空間を小さく区切ることができるので、ハリス４を直線状にしたまま収納できてハリス４にくせができるのを防止することができる。
【００２０】
より具体的に説明すると、ハリス挿通孔２３から挿通されたハリス４は、まず、案内部２７ａに当たって、仕掛保持具７の側板８ｃの内側面寄りに案内されることになる。そして、ハリス４が、ハリス挿通孔２３に収納されたときにはハリス４の大部分は、直線部２７ｂと、仕掛保持具７の軸方向内側面との間で直線状に収納されて、ハリス４にくせが生じないようにすることができるのである。
さらに、ハリス４は、仕掛保持具７内に収納されて仕掛保持具７からはみ出ることがなくなる。したがって、ハリス４は仕掛収容ケース１からもはみ出ることもなくなり、蓋体６を閉じたときに、ハリス４が挟まれることもなく、これによるハリス４の損傷を防止できる。
【００２１】
仕掛保持具７内には、針先挿通孔２１から挿通された針先３ａが抜けはずれるのを防止する弾性材３０が設けられている。この弾性材３０は、針先挿通孔２１の下方に設けられていて、針先挿通孔２１から挿通された針先３ａをその弾性によって、押さえつけて針先３ａの抜けはずれを防止するようになっている。
このように弾性材３０を設けたことによって、仕掛保持具７の表面１２を内側に変形させようとする力や衝撃が作用しても、この弾性材３０が緩衝することができるようになり、この点で有利である。このように、弾性材３０を仕掛保持具７内に設けることによって、仕掛保持具７の肉厚が薄く形成されていても弾性材３０が仕掛保持具７の内面を、塑性変形しないように支持できるようになるので、仕掛保持具７の肉厚を極力薄くして、仕掛保持具７を軽量化することができるようになる。仕掛保持具７の肉厚ｔは、約０．５ｍｍとされている。
【００２２】
仕掛保持具７の上側の内面と下側内面との間隔ｈは極力小さくされていることが望ましい。この間隔ｈを極力小さくすることで、ハリス４を直線状に規制してハリス収納部２５に収納でき、ハリス４にくせがつくのを防止できるからである。この間隔ｈは約２ｍｍとされている。
仕掛保持具７の長手方向両端は、閉塞するようにしてもよいが、仕掛保持具７を筒形状として、長手方向両端を開口状に形成した方が、針先挿通孔２１やハリス挿通孔２３から仕掛保持具７内に水や、砂利等が侵入した場合に、これらを仕掛保持具７の長手方向両端部開口から排出すことができ、この点で有利である。
【００２３】
さらに、従来の仕掛収容ケースでは、釣り場でこの仕掛収容ケース内が濡れた場合に、乾燥させようとすると、従来の仕掛収容ケースから仕掛２を取りはずす必要があったが、本発明では、仕掛収容ケース１を乾燥させる場合には、仕掛保持具７を仕掛収容ケース１から取り外すことによって、別々に素早く乾燥させることができる。
また、仕掛保持具７については、仕掛２を仕掛保持具７から取り外すことなく、素早く仕掛保持具７と釣針３を乾燥させることができ、釣針３の錆等による品質劣化を防止することができる。この仕掛保持具７の乾燥時間は、例えば夏期晴天時で屋外において約１０分である。
【００２４】
図７に示す他の実施の形態では、では、針先挿通孔２１が、仕掛保持具７の長手方向中央に向かって広がる正面視ハの字状に形成されている点が、図４、図５で示した仕掛保持具７の構成と異なる。その他の点は、図４、図５の仕掛保持具７と同様の構成であり、同様の作用効果を奏する。
図８に示す他の実施の形態では、針先挿通孔２１の切れ込み（スリット）の形状が図４、図５に示した仕掛保持具７と異なる。すなわち、左右一対の各針先挿通孔２１は、正面視Ｖ字状に形成されている。このように正面視Ｖ字状とすることによって形成された尖端状の舌片３１は、針先３ａが針先挿通孔２１に挿通されたときに針先に押されて下方に弾性変形することとなり、このときの弾性力に針先を押さえるようになる。したがって針先は舌片３１によって押さえつけられることによって、針先挿通孔２１から抜けはずれにくくなるという利点がある。仕掛保持具７内には、弾性体３０は設けられていない。その他の点は、図４、図５の仕掛保持具７と同様の構成であり、図４、図５の仕掛保持具７と同様の作用効果を生ずる。
【００２５】
図９に示す他の実施の形態では、針先挿通孔２１の切れ込みの形状が図８の仕掛保持具７の場合と異なる。すなわち、針先挿通孔２１の切れ込みは正面視円弧形状とされている。このように針先挿通孔２１を正面視円弧形状としたことによって形成された正面視略半円形状の舌片３１は、図８の尖端状の舌片３１と同様に、針先を針先挿通孔２１に挿通したときに、下方に弾性変形して針先が針先挿通孔２１から抜けはずれないように下方側からこの針先を押さえつけるようになっている。その他の点は、図８の仕掛保持具７と同様の構成である。
【００２６】
図１１は、仕掛保持具７を収納する予備収納ケース（ストッカー）３３を示している。この予備収納ケース３３は、仕掛収容ケース１よりも仕掛保持具７を多量に収納できるようになっておりいる。このように、仕掛保持具７を多量に収納できる予備収納ケース３３を用意しておくことで、予め、あらゆる釣り場環境（気温、水質、天候等）に対応できる仕掛２を多種類用意しておいて予備収納ケース３３に収納しておき、その釣り場環境に最も適した仕掛２を保持する仕掛保持具７を予備収納ケース３３から仕掛収容ケース１へ移し替えることが可能となり、釣り場環境に素早く対応することができるようになる。
【００２７】
なお、本発明は上記した実施形態に限らず、以下のように種々の変形・変更が可能である。
仕掛収容ケース１を透明な合成樹脂材で形成する場合には、無色透明、着色透明のいずれのものを用いてもよい。また、仕掛収容ケース１は、透明な合成樹脂材に限らず、金属、木材等他の種々の材料を用いて形成してもよい。仕掛収容ケース１の蓋体６は上下両側に設けずにいずれか一方のみの片開きのものでもよい。各係止手段１９、２０としては、針先挿通孔２１に限らず、本体８表面１２に薄板上のスポンジ等を貼付してこれに針先３ａを掛けて係止する手段をとってもよい。
【００２８】
【発明の効果】
本発明によれば、ハリス同士が絡まることを防止してハリスにくせがつかないようにできる。
【図面の簡単な説明】
【図１】仕掛収容ケースに仕掛保持具が収納された状態を示す斜視図である。
【図２】仕掛収容ケースに仕掛保持具が収納された状態を示す断面図である。
【図３】仕掛収容ケースの側面図である。
【図４】仕掛保持具の正面図である。
【図５】仕掛保持具を長手方向端部側からみた側面図である。
【図６】ハリス挿通孔を示す断面図である。
【図７】仕掛保持具の他の実施の形態を示す正面図である。
【図８】仕掛保持具の他の実施の形態を示す正面図である。
【図９】仕掛保持具の他の実施の形態を示す正面図である。
【図１０】仕掛を示す斜視図である。
【図１１】予備仕掛収納ケースを示す斜視図である。
【符号の説明】
１　鮎用仕掛収容ケース
２　仕掛
３　釣針
４　ハリス
５　基板
６　蓋体
７　仕掛保持具
１９　第１係止手段
２０　　第２係止手段
２１　針先挿通孔
２３　ハリス挿通孔
２５　ハリス収納部
２８　表示部
【図１】
2004065131.tif 000003
【図２】
2004065131.tif 000004
【図３】
2004065131.tif 000005
【図４】
2004065131.tif 000006
【図５】
2004065131.tif 000007
【図６】
2004065131.tif 000008
【図７】
2004065131.tif 000009
【図８】
2004065131.tif 000010
【図９】
2004065131.tif 000011
【図１０】
2004065131.tif 000012
【図１１】
2004065131.tif 000013